(57)【要約】      （修正有）【課題】感知した鍋の温度によって色が変わる提示機能を持っている鍋を提供する。【解決手段】使用者がより正確に料理の温度を知るため、各種の温感装置を備えた鍋が現れたが、その構成は複雑で、温度感受性もさほど優れていない。調理器と、鍋体と鍋の柄からなる調理器に設置された温度センサーから構成され、金属部分である前記温度センサーの表面は温度により色が変化する温度感受性塗料によりコーティングされている。熱伝導性を有する温度センサーは、簡単な構成を有し、鍋体の表面に直接接触している。また塗料の温度感知効果がすぐれているため、温度センサーの温度感受性塗料の色変化によって、鍋の温度をより正確に把握することができる。【選択図】図１
0003168453.tif 000002
【実用新案登録請求の範囲】
【請求項１】
温度感知機能を有する鍋であって、調理器と調理器に付いている温度センサーを含み、前記調理器は鍋体と鍋の柄を含み、前記温度センサーの表面が金属であり、かつ温度によって色が変化する温度感受性塗料でコーティングされていることを特徴とする鍋。
【請求項２】
請求項１に記載の温度感知機能を有する鍋であって、前記温度センサーは温感スリーブであり、その一端は前記鍋の外壁と接触し、かつスリーブは鍋体とベークライト製の鍋の柄の接続部を覆っていることを特徴とする鍋。
【請求項３】
請求項１に記載の温度感知機能を有する鍋であって、前記鍋と鍋の柄の接続部は観察孔がその上にある前記金属被覆の内部にあり、前記鍋の柄はベークライト製で、前記温度センサーは温感シートであり、前記温感シートは前記観察孔の下、かつ前記金属被覆と前期鍋の柄との間に位置し、前記温感シートの内端縁が前記鍋体と直接に接触することを特徴とする鍋。
【請求項４】
請求項３に記載の温度感知機能を有する鍋であって、前記温感フレークの底に、前記鍋の柄に位置付けている隆起を少なくとも１つ形成することを特徴とする鍋。
【請求項５】
請求項１に記載の温度感知機能を有する鍋であって、前記温度センサーは前記鍋とベークライト製の前記鍋の柄をつなげる接続部であることを特徴とする鍋。
【請求項６】
請求項１に記載の温度感知機能を有する鍋であって、前記温度センサーは金属片で、該金属片は直接前記鍋体の前記外壁に溶接されていることを特徴とする鍋。  
【考案の詳細な説明】
【技術分野】
【０００１】
本実用新案は、ある種の台所用品、特に、感知した鍋の温度によって色が変わる提示機能を持っている鍋に関する。
【背景技術】
【０００２】
伝統的な鍋は温感機能を持っておらず、使用者の経験に基づいて操作するので、大部分の人にとって、料理の温度を知ることが困難である。使用者がより正確に料理の温度を知るため、各種の温感装置を備えた鍋が現れたが、その構成は複雑で、温度感受性もさほど優れていない。
【考案の概要】
【課題を解決するための手段】
【０００３】
本実用新案は、従来技術の欠点を克服し、構成が簡単で、温感感知効果がすぐれた鍋を提供することである。
【０００４】
このために、本実用新案が採用した技術は次の通り：鍋が温度感知機能を有し、調理器と調理器に付いている温度センサーを含み、前記調理器は鍋体と鍋の柄を含み、前記温度センサーの表面が金属であり、かつ温度によって色が変化する温度感受性塗料でコーティングされている。温度センサーの熱伝導性が優れているため、温度感知効果が優れている。温度センサーの温度感受性塗料の色によって、最適な調理時間を使用者に示すので、使用者にやけどをしないように注意させる。温度センサーを油煙のない鍋で使う場合、温度センサーの色が初期状態の色に戻るまでは、使用者に冷水を注がないよう指示することができ、このようにして鍋の寿命を延長する。
鍋の構成は実際の温度センサーの状況により次の４つに分類できる。
【０００５】
１）温度センサーの表面には、温度感受性塗料が付いている。前記温度センサーは温感スリーブであり、その一端は鍋の外壁と接触し、かつスリーブは鍋体とベークライト製の鍋の柄の接続部を覆っている。
【０００６】
２）鍋体とベークライト製の鍋の柄の接続部を観察孔を有する金属被覆が覆っている。前記温度センサーは温感シートであり、この温感シートは観察孔の下、かつ金属被覆と鍋の柄との間に位置して、金属被覆の内端縁は鍋体と直接接触する。鍋の温度は金属被覆を通じて温感シートに伝わる。温感シートの底では、鍋の柄に位置する隆起を１つまたは２つ形成する。（２つの方がより良い。）温度センサーの表面は、温度によって色が変化する温度感受性塗料でコーティングされており、温度センサーの色の変化で、最適な調理時間を使用者に示すので、使用者にやけどをしないように注意させる。温度センサーが油煙のない鍋で使う場合、温度センサーの色が初期状態の色に戻るまでは、使用者に冷水を注がないよう指示することができ、このようにして鍋の寿命を延長する。
【０００７】
３）前記温度センサーは鍋体と鍋の柄の間にある接続部であり、接続部の表面には温度によって色が変化する温度感受性塗料がコーティングされており、ここで鍋の柄はベークライト製である。
【０００８】
４）前記温度センサーは金属プレートであり、金属シートの表面には温度によって色が変化する温度感受性塗料がコーティングされている。また金属プレートは鍋体の外壁に直接溶接されている。
【０００９】
本実用新案は、構成は簡単であり、すぐれた熱伝導性を有する温度センサーが鍋の表面と接触しており、温度感受性塗料はすぐれた温度感知効果を有するため、温度センサーにコーティングされた温度感受性塗料の色によってより正確に鍋の温度を把握することが出来る。
【００１０】
そして以下の添付の図面と具体的な実施例を組み合わせることにより、本実用新案を説明する。
【図面の簡単な説明】
【００１１】
【図１】本実用新案の実施例１の構成説明図。
【図２】本実用新案の実施例２の構成説明図。
【図３】図２の温感シートの構成説明図。
【図４】図２の俯瞰図。
【図５】本実用新案の実施例３の構成説明図。
【図６】本実用新案の実施例３の構成説明図。
【考案を実施するための形態】
【実施例１】
【００１２】
図１のような鍋は、鍋の柄２はベークライト製である。温感スリーブ４の内部には鍋体１と鍋の柄２の接続部３があり、温感スリーブ４の一端は鍋体１の外壁と直接接触し、その表面には温度によって色が変化する温度感受性塗料がコーティングされている。接続部３は鍋体の外壁に溶接するナット（または鍋体の外で形成した突起）であり、鍋の柄の端部はねじ３１で接続部と接続する。
【実施例２】
【００１３】
図２−４のような鍋では、鍋体１とベークライト製の鍋の柄２の接続部３を観察孔１０を有する金属被覆５が覆っている。被覆５には観察孔１０があり、鍋の柄２はベークライトで、接続部３は鍋体の外壁に溶接するナット（または鍋体の外で形成した突起）であり、鍋の柄の端部はねじ３１で接続部と接続する。この温感シートは観察孔の下、かつ金属被覆と鍋の柄との間に位置して、金属被覆の内端縁は鍋体と直接接触する。温感シート６の底部には、鍋の柄に位置付けられている隆起７を２つ形成する。温感シート６の表面には温度によって色が変化する温度感受性塗料がコーティングされているので、温感シートの色変化を通じて、鍋の温度を把握する。
【実施例３】
【００１４】
図５のような鍋は、鍋体１と鍋の柄２は接続部８で接続し、接続部８の表面は温度によって色が変化する温度感受性塗料でコーティングされており、鍋の柄２はベークライト製である。
【実施例４】
【００１５】
図６のような鍋は、鍋体１の外壁で金属片９を溶接して、金属切れ９の表面には温度によって色が変化する温度感受性塗料がコーティングされている。
【図１】
0003168453.tif 000003
【図２】
0003168453.tif 000004
【図３】
0003168453.tif 000005
【図４】
0003168453.tif 000006
【図５】
0003168453.tif 000007
【図６】
0003168453.tif 000008
【手続補正書】
【提出日】平成23年3月11日(2011.3.11)
【手続補正１】
【補正対象書類名】実用新案登録請求の範囲
【補正対象項目名】全文
【補正方法】変更
【補正の内容】
【実用新案登録請求の範囲】
【請求項１】
温度感知機能を有する鍋であって、調理器と調理器に付いている温度センサーを含み、前記調理器は鍋体と鍋の柄を含み、前記温度センサーの表面が金属であり、かつ温度によって色が変化する温度感受性塗料でコーティングされていることを特徴とする鍋。
【請求項２】
請求項１に記載の温度感知機能を有する鍋であって、前記温度センサーは筒状の温感スリーブであり、その一端は前記鍋の外壁と接触し、かつスリーブは鍋体とベークライト製の鍋の柄の接続部を覆っていることを特徴とする鍋。
【請求項３】
請求項１に記載の温度感知機能を有する鍋であって、前記鍋と鍋の柄の接続部は観察孔がその上にある金属被覆の内部にあり、前記鍋の柄はベークライト製で、前記温度センサーは温感シートであり、前記温感シートは前記観察孔の下、かつ前記金属被覆と前記鍋の柄との間に位置し、前記温感シートの内端縁が前記鍋体と直接に接触することを特徴とする鍋。
【請求項４】
請求項１に記載の温度感知機能を有する鍋であって、前記温度センサーは前記鍋とベークライト製の前記鍋の柄をつなげる接続部に含まれることを特徴とする鍋。
【請求項５】
請求項１に記載の温度感知機能を有する鍋であって、前記温度センサーは金属片で、該金属片は直接前記鍋体の前記外壁に溶接されていることを特徴とする鍋。